(57)【要約】【課題】流体の照射効果を改善する配管装置を提供する。【解決手段】配管装置であって、本体１０、流路モジュール２０及び複数の発光素子３１を備え、本体１０に収容チャンバと複数の光透過孔が設けられ、収容チャンバは本体１０の内部に設けられ、複数の光透過孔は間隔をおいて本体１０を貫通して収容チャンバ及び本体１０の外部と連通し、流路モジュール２０は、本体１０と結合され、且つ透明な管材２１及びガイド部材２２を備え、透明な管材２１は収容チャンバの内部に設けられ、ガイド部材２２は、螺旋状の構造を有し、且つ透明な管材２１の内部に設けられることにより、流路モジュール２０に螺旋状の流路２３が形成され、複数の発光素子３１は、本体１０に接続され、且つ互いに間隔をおいて設けられ、複数の光透過孔に入り、且つ流路モジュール２０の周囲に位置する。【選択図】図３
0003222475.tif 000002
【実用新案登録請求の範囲】
【請求項１】
流体の照射効果を改善する配管装置であって、本体、流路モジュール及び複数の発光素子を備え、
前記本体に収容チャンバと複数の光透過孔が設けられ、該収容チャンバは該本体の内部に設けられ、該複数の光透過孔は間隔をおいて該本体を貫通して該収容チャンバ及び該本体の外部と連通し、
前記流路モジュールは、前記本体と結合され、且つ透明な管材及びガイド部材を備え、該透明な管材は前記収容チャンバの内部に設けられ、該ガイド部材は、螺旋状の構造を有し、且つ該透明な管材の内部に設けられることにより、該流路モジュールに螺旋状の流路が形成され、
前記複数の発光素子は、前記本体に接続され、且つ互いに間隔をおいて設けられ、前記複数の光透過孔に入り、且つ該流路モジュールの周囲に位置することを特徴とする、流体の照射効果を改善する配管装置。
【請求項２】
前記本体に２つの接続ベースがさらに設けられ、該２つの接続ベースはそれぞれ該本体の両端に設けられ、且つ各接続ベースには接続部が設けられ、該接続部は、該接続ベースにおける、他方の接続ベースから離れた側に凹設され、且つ前記収容チャンバと連通し、前記流体の照射効果を改善する配管装置はさらに２つのベース管を備え、該２つのベース管はそれぞれ該本体の両端に結合され、各ベース管は１つの接続ベースの接続部に入れられ、対応する接続部と螺合することを特徴とする、請求項１に記載の流体の照射効果を改善する配管装置。
【請求項３】
前記流体の照射効果を改善する配管装置には、２つのガスケットがさらに設けられ、該各ガスケットは、前記本体と１つのベース管との間に設けられることを特徴とする、請求項２に記載の流体の照射効果を改善する配管装置。
【請求項４】
前記本体には、複数の結合部が設けられ、該複数の結合部は、該本体において互いに隣接して設けられ、且つそれぞれ平面を有し、該本体の各光透過孔は、１つの結合部の中間部に設けられ、更に、複数の照射モジュールを備え、前記複数の発光素子は、該複数の照射モジュールに間隔をおいて設けられ、該照射モジュールは、該本体の１つの結合部に結合されることを特徴とする、請求項１から３のいずれか１項に記載の流体の照射効果を改善する配管装置。
【請求項５】
前記透明な管材は、ポリカーボネート製、ポリメタクリレート製又はガラス製の管材であり、前記ガイド部材は、金属製又はプラスチック製であることを特徴とする、請求項４に記載の流体の照射効果を改善する配管装置。
【請求項６】
前記透明な管材は、ポリカーボネート製、ポリメタクリレート製又はガラス製の管材であり、前記ガイド部材は、金属製又はプラスチック製であることを特徴とする、請求項１〜３のいずれか１項に記載の流体の照射効果を改善する配管装置。
【請求項７】
前記各発光素子が発光ダイオードであることを特徴とする、請求項５に記載の流体の照射効果を改善する配管装置。
【請求項８】
前記各発光素子が発光ダイオードであることを特徴とする、請求項１から３のいずれか１項に記載の流体の照射効果を改善する配管装置。
【請求項９】
前記各発光素子が発光ダイオードであることを特徴とする、請求項４に記載の流体の照射効果を改善する配管装置。
【請求項１０】
前記流体の照射効果を改善する配管装置は、ハウジングをさらに備え、該ハウジングは、該本体の外側に外嵌されることを特徴とする、請求項７に記載の流体の照射効果を改善する配管装置。
【考案の詳細な説明】
【技術分野】
【０００１】
本考案は特に、内部を流れる流体に照射を行う配管装置に関するものである。
【背景技術】
【０００２】
スペクトルにおいて波長が異なる光は、動物や植物、ないしは微生物に対して、明らかに異なる影響を与えることができる。例えば、波長が４５０ナノメートル（ｎｍ、ｎａｎｏｍｅｔｅｒ）の光は水中の藻類を刺激して成長を促し、２００〜４０５ナノメートルの紫外線（ＵＶ、ｕｌｔｒａｖｉｏｌｅｔ）は殺菌に用いることができる。そのため、異なる波長の光は、生活においても産業においても広く応用され、流体内の有機物の培養、抑制、又は死滅に用いることができる。
【０００３】
従来の配管装置は、直線状で且つ内部に流体を有する透明な管材と、該透明な管材の周囲に横向きに設けられた複数の照射源を備えており、ユーザは該複数の照射源によって、特定の波長の光を、該透明な管材を通過させて内部の流体に照射し、それによって例えば流体内の有機物の培養、抑制、又は死滅といった、該特定の波長の光に応じた効果を発揮させることができる。しかしながら、従来の配管装置は、使用時に、流体が該複数の照射源の照射範囲を直線的に素早く通過してしまうことから、照射時間が短く、該特定の波長の光による効果を十分に得ることができないので、従来の配管装置には、改良の余地があった。
【考案の概要】
【考案が解決しようとする課題】
【０００４】
本考案は、「使用時に、流体が前記複数の照射源の照射範囲を直線的に素早く通過するため、該複数の照射源が、前記特定の波長の光による効果を十分に発揮することができない」との従来の配管装置の課題を解決するために、流体が特定の波長の光に照射される時間を増やし、好ましい照射効果をもたらすことができる、流体の照射効果を改善する配管装置を提供する。以下、さらに説明する。
【課題を解決するための手段】
【０００５】
本考案は、流体の照射効果を改善する配管装置であって、本体、流路モジュール及び複数の発光素子を備え、前記本体に収容チャンバと複数の光透過孔が設けられ、該収容チャンバは該本体の内部に設けられ、該複数の光透過孔は間隔をおいて該本体を貫通して該収容チャンバ及び該本体の外部と連通し、前記流路モジュールは、前記本体と結合され、且つ透明な管材及びガイド部材を備え、該透明な管材は前記収容チャンバの内部に設けられ、該ガイド部材は、螺旋状の構造を有し、且つ該透明な管材の内部に設けられることにより、該流路モジュールに螺旋状の流路が形成され、前記複数の発光素子は、前記本体に接続され、且つ互いに間隔をおいて設けられ、前記複数の光透過孔に入り、且つ該流路モジュールの周囲に位置する。
【０００６】
前記流体の照射効果を改善する配管装置のうち、前記本体に２つの接続ベースがさらに設けられ、該２つの接続ベースはそれぞれ該本体の両端に設けられ、且つ各接続ベースには接続部が設けられ、該接続部は、該接続ベースにおける、他方の接続ベースから離れた側に凹設され、且つ前記収容チャンバと連通し、前記流体の照射効果を改善する配管装置はさらに２つのベース管を備え、該２つのベース管はそれぞれ該本体の両端に結合され、各ベース管は１つの接続ベースの接続部に入れられ、対応する接続部と螺合する。
【０００７】
さらに、前記流体の照射効果を改善する配管装置のうち、前記流体の照射効果を改善する配管装置には、２つのガスケットがさらに設けられ、該各ガスケットは、前記本体と１つのベース管との間に設けられる。
【０００８】
さらに、前記流体の照射効果を改善する配管装置のうち、前記本体には、複数の結合部が設けられ、該複数の結合部は、該本体において互いに隣接して設けられ、且つそれぞれ平面を有し、該本体の各光透過孔は、１つの結合部の中間部に設けられ、更に、複数の照射モジュールを備え、前記複数の発光素子は、該複数の照射モジュールに間隔をおいて設けられ、該照射モジュールは、該本体の１つの結合部に結合される。
【０００９】
またさらに、前記流体の照射効果を改善する配管装置は、前記透明な管材が、ポリカーボネート製、ポリメタクリレート製又はガラス製の管材であり、  前記ガイド部材が、金属製又はプラスチック製である。
【００１０】
またさらに、前記流体の照射効果を改善する配管装置のうち、前記各発光素子が発光ダイオードである。
【００１１】
好ましくは、前記流体の照射効果を改善する配管装置のうち、前記流体の照射効果を改善する配管装置は、ハウジングをさらに備え、該ハウジングは、該本体の外側に外嵌される。
【考案の効果】
【００１２】
本考案は、上記の欠点を改善するためになされたものであり、流体が１つのベース管を経由して本考案の配管装置に流入し、さらにもう１つのベース管に向かって流れる過程においては、従来の配管装置内で流体が直線的にしか通過できないのに対して、流体が前記流路モジュールの螺旋状流路に沿って、前記複数の照射モジュールの間で螺旋状に流動することから、流体が前記複数の発光素子の照射範囲内に滞留する時間を増やすことができ、これにより、流体が照射される時間が長くなるので、流体内の有機体をより良好に培養、抑制又は死滅させる効果を得ることができる。
【図面の簡単な説明】
【００１３】
【図１】本考案の好ましい実施形態の外観斜視図である。
【図２】本考案の好ましい実施形態の一部断面斜視図である。
【図３】本考案の好ましい実施形態の別の一部断面斜視図である。
【図４】本考案の好ましい実施形態の一部断面側面図である。
【図５】本考案の好ましい実施形態の分解斜視図である。
【図６】本考案の好ましい実施形態の操作の模式図である。
【考案を実施するための形態】
【００１４】
本考案の技術特徴及び実用的な効果を詳細に理解できるように、且つ明細書の内容に従って実現できるように、図に示す好ましい実施形態によって、さらに以下のとおり詳細に説明する。
【００１５】
本考案は、流体の照射効果を改善する配管装置であって、好ましい実施形態は、図１〜図３及び図５に示すように、本体１０、流路モジュール２０、複数の照射モジュール３０、２つのベース管４０、及びハウジング５０を備え、該複数の照射モジュール３０は、４つである。
【００１６】
図５に示すように、前記本体１０は、１つの長手方向を有すると共に、収容チャンバ１１、２つの接続ベース１２及び複数の結合部１３を備え、該収容チャンバ１１は、該本体１０の内部に設けられ、且つ円筒状を呈し、決まった長さと決まった内径を有する。また、前記２つの接続ベース１２はそれぞれ、該本体１０の両端に設けられて、それぞれ該収容チャンバ１１の両端に位置し、各接続ベース１２は、決まった外径と、接続部１２１を有し、該接続部１２１は、該接続ベース１２において、他方の接続ベース１２から離れた一端に凹設された円筒形の溝体であり、該接続部１２１は、該収容チャンバ１１と連通し、該接続部１２１の内壁にはねじ山が設けられる。尚、好ましい実施形態においては、該本体１０が４つの結合部１３を備え、該各結合部１３は、該本体１０の長手方向に沿って設けられて平面を形成し、且つ該２つの接続ベース１２の間に介設され、さらに、該各結合部１３に光透過孔１３１が設けられ、該光透過孔１３１は、該結合部１３の中間部に穿設され、また、該本体１０の長手方向に沿って細長い貫通孔が形成され、該貫通孔は、該収容チャンバ１１及び本体１０の外部と連通し、更に、該４つの結合部１３が隣接して設けられていることにより、各結合部１３の各光透過孔１３１が間隔をおいて形成される。
【００１７】
図２から図５に示すように、前記流路モジュール２０は、前記本体１０の内部に設けられると共に、透明な管材２１及びガイド部材２２を備え、該透明な管材２１は、決まった長さと決まった外径を有し、その長さ及び外径は、該収容チャンバ１１の内部に設置できるように、該収容チャンバ１１の長さ及び内径に対応している。また、前記ガイド部材２２は、螺旋状の構造を有し、且つ該透明な管材２１の内部に設けられる。それにより、前記流路モジュール２０において、該透明な管材２１とガイド部材２２との間に螺旋状の流路２３が形成される。
【００１８】
更に、好ましい実施形態では、前記透明な管材２１がポリカーボネート（ＰＣ、ｐｏｌｙｃａｒｂｏｎａｔｅ）製、ポリメタクリレート（アクリル、ＰＭＭＡ、ｐｏｌｙ（ｍｅｔｈｙｌ  ｍｅｔｈａｃｒｙｌａｔｅ））製又はガラス製の管材であってもよく、前記ガイド部材２２は、金属製又はプラスチック製であってもよい。
【００１９】
図２から図４に示すように、前記４つの照射モジュール３０は、前記本体１０に結合され、該各照射モジュール３０には、複数の発光素子３１が設けられており、該複数の発光素子３１は、該照射モジュール３０の中間部に直線状に排置されている。また、図５に示すように、前記各照射モジュール３０における２つの締結部材３０１はそれぞれ１つの結合部１３に結合され、結合後は、該複数の発光素子３１が該結合部１３の光透過孔１３１に入って、前記透明な管材２１の近傍に位置する。尚、好ましい実施形態においては、各発光素子３１が発光ダイオード（Ｌｉｇｈｔ−ｅｍｉｔｔｉｎｇ  ｄｉｏｄｅ、ＬＥＤ）であり、更に、各照射モジュール３０が外部の電源に接続されることにより、該複数の発光素子３１が指向性のある特定の波長の光を照射する。また、前記各照射モジュール３０の複数の発光素子３１は、異なる波長の光を組み合わせたものであることが好ましく、それにより複合的な効果がもたらされる。
【００２０】
図２から図５に示すように、前記２つのベース管４０は、前記本体１０の両端に結合され、該各ベース管４０は、ねじ部４１を有し、それぞれ接続ベース１２の接続部１２１と螺合し、さらに、該各ベース管４０と収容チャンバ１１との間にガスケット６０が設けられることで、漏れを防止するとともに、該収容チャンバ１１内の流路モジュール２０が滑って接続部１２１に入り込まないようにしている。
【００２１】
前記ハウジング５０は、前記本体１０に結合され、決まった長さと決まった内径を有すると共に、該本体１０に外嵌され且つ２つの接続ベース１２と結合するように、長さが該本体１０と等しく且つ外径が前記２つの接続ベース１２にそれぞれ対応している。
【００２２】
図６に示すように、上記本考案の技術特徴による、流体が１つのベース管４０を経由して配管装置に流入し、さらにもう１つのベース管４０に向かって流れる過程においては、従来の配管装置内では流体が直線的にしか通過できなかったのに対し、流体が前記流路モジュール２０の螺旋状流路２３に沿って、前記複数の照射モジュール３０の間で螺旋状に流動することから、流体が前記複数の発光素子３１の照射範囲内に滞留する時間を増やすことができるので、流体が照射される時間が長くなり、流体内の有機体をより良好に培養、抑制又は死滅させる効果を得ることができるようになった。
【００２３】
以上の説明は、本考案の好ましい実施形態に過ぎず、本考案に対して何ら限定を行うものではない。すべての当業者が、本考案の技術構想を逸脱しない範囲において、本考案の開示する技術内容を用いて部分的な変更及び修飾を行った等価の実施形態で、且つ本考案の技術構想の内容を逸脱しないものは、依然としてすべて本考案の技術構想の範囲内にある。
【符号の説明】
【００２４】
１０  本体
１１  収容チャンバ
１２  接続ベース
１２１  接続部
１３  結合部
１３１  光透過孔
２０  流路モジュール
２１  透明な管材
２２  ガイド部材
２３  流路
３０  照射モジュール
３１  発光素子
４０  ベース管
４１  ねじ部
５０  ハウジング
６０  ガスケット
【図１】
0003222475.tif 000003
【図２】
0003222475.tif 000004
【図３】
0003222475.tif 000005
【図４】
0003222475.tif 000006
【図５】
0003222475.tif 000007
【図６】
0003222475.tif 000008